(57)【要約】【課題】複数の重量シャッターケースを重ねた状態で運搬する場合に、下側のケースの変形を防止することができるケース補強構造を提供する。【解決手段】左右の側面板２、３と、上面板１と、下面板５と、前面板４とからなり、背面側に開口を備えたシャッターケースＣにおいて、上面板１と下面板５間には、開口側に位置して、ケース幅方向に間隔を存して複数の支承部材９、１０を取り外し可能に設けてなる。【選択図】図１
2019218697.tif 000002
【特許請求の範囲】
【請求項１】
左右の側面板と、上面板と、下面板と、前面板とからなり、背面側に開口を備えたシャッターケースにおいて、
前記上面板と前記下面板間には、開口側に位置して、ケース幅方向に間隔を存して複数の支承部材を取り外し可能に設けてなる、
重量シャッターケース運搬時・保管時のケース補強構造。
【請求項２】
前記シャッターケースには１つあるいは複数の補強部材が設けてあり、前記補強部材は、前記上面板の下面の後端側に位置する上側部位、前記下面板の上面の後端側に位置する下側部位を含み、
前記支承部材の上端は前記上側部位に取り外し可能に設けてあり、前記支承部材の下端は前記下側部位に取り外し可能に設けてある、
請求項１に記載のケース補強構造。
【請求項３】
前記補強部材は、前記上面板の下面の後端に設けられ、長さ方向両端部が側面板まで達していない長尺状の上側補強部材、前記下面板の上面の後端に設けられ、長さ方向両端部が側面板まで達している長尺状の下側補強部材、ケース幅方向に間隔を存して複数設けられ、上側部及び下側部を備えた中間補強部材、前記上側補強部材の長さ方向端部と前記側面板との間に位置して、前記上面板の下面の後端側に設けた受け材、を含み、
前記上側部位には、前記上側補強部材、前記中間補強部材の上側部、前記受け材が含まれ、
前記下側部位には、前記下側補強部材、前記中間補強部材の下側部が含まれ、
前記支承部材は、前記上側補強部材に対応するケース幅内に位置する第１支承部材と、前記上側補強部材の長さ方向端部と前記側面板との間に対応するケース幅内に位置する第２支承部材と、を含み、
前記第１支承部材の上端は、前記上側補強部材、前記中間補強部材の上側部の一方あるいは両方に取り外し可能に設けてあり、前記第１支承部材の下端は、前記下側補強部材、前記中間補強部材の下側部の一方あるいは両方に取り外し可能に設けてあり、
前記第２支承部材の上端は、前記受け材に取り外し可能に設けてあり、前記第２支承部材の下端は、前記下側補強部材に取り外し可能に設けてある、
請求項２に記載のケース補強構造。
【請求項４】
前記支承部材の上端、下端の両方あるいは一方が前記補強部材に取り外し可能に連結されている、
請求項２、３いずれか１項に記載のケース補強構造。
【請求項５】
前記支承部材の上端、下端の一方が前記補強部材に取り外し可能に連結されており、他方が前記補強部材に当接している、
請求項４に記載のケース補強構造。
【請求項６】
支承部材を取り外し可能に連結する手段は溶接である、
請求項４、５いずれか１項に記載のケース補強構造。
【請求項７】
工場において、左右の側面板と、上面板と、下面板と、前面板とからなり、背面側に開口を備えたシャッターケースに対して、前記上面板と前記下面板の間に、開口側に位置して、ケース幅方向に間隔を存して複数の支承部材を取り外し可能に設けてシャッターケースを補強するステップと、
運搬時に、前記補強されたシャッターケースを積み重ねた状態とするステップと、
現場において、前記補強されたシャッターケースから前記支承部材を取り外してシャッターケースを得るステップと、
からなるシャッターケースの搬入方法。
【発明の詳細な説明】
【技術分野】
【０００１】
本発明は、シャッターケース運搬時のケース補強構造及び搬入方法に関するものである。
【背景技術】
【０００２】
大開口部の開閉に用いられる重量シャッターのシャッターケース（以下、「重量シャッターケース」という）は、左右一対の側面板の間に上面板、下面板、前面板を設けてシャッターカーテンの収納空間を形成した箱型のシャッターケースないし角ケースである。このような重量シャッターケースの基本形状は、特許文献１、２に記載されている。
【０００３】
重量シャッターケースは、工場で組み立てられ、取付現場まで運搬されて、シャッター装置（建物開口部上方の左右のブラケット、ブラケット間に支持された巻取シャフト、巻取シャフトに巻装されたシャッターカーテン、駆動側ブラケットに支持された開閉機等を収納して覆うように）に取り付けられる。
【０００４】
重量シャッターケースは、工場製作後から現場での取付までの運搬工程（工場内での運搬、工場から取付現場への運搬）において、運搬時の効率や省スペースのため、複数のケースを積み重ねた状態で運搬する場合が多い。この時、下側のシャッターケースに上側のケース重量が作用するが、ケース板は、通常、板厚1.6ｔの薄板から形成されているため、垂直方向の荷重が負荷することで下側のシャッターケースが変形してしまうおそれがあった。変形したシャッターケースを現場で元の形状に修復することは手間を要し、現場におけるシャッターケースの取付作業の効率を低下させることになる。
【特許文献１】特開２００２−１９４９６９号
【特許文献２】特開２０１１−２１４２３７号
【発明の開示】
【発明が解決しようとする課題】
【０００５】
本発明は、複数のシャッターケースを重ねた状態で保管ないし運搬する場合であっても、下側のシャッターケースの変形を防止することができるケース補強構造及び搬入方法を提供することを目的とする。
【課題を解決するための手段】
【０００６】
かかる課題を解決するべく本発明が採用した技術手段は、
左右の側面板と、上面板と、下面板と、前面板とからなり、背面側に開口を備えたシャッターケースにおいて、
前記上面板と前記下面板間には、開口側に位置して、ケース幅方向に間隔を存して複数の支承部材を取り外し可能に設けてなる、
シャッターケース運搬時・保管時のケース補強構造、である。
本明細書において、前面板が位置する側を「前」とし、背面側ないし開口側（シャッターケースが躯体に取り付けられた場合には躯体側）を「後」とする。したがって、上面板や下面板の開口側の端部は「後端」であり、「後端」に近い側は「後端側」ないし「後側」であり、「後端」に近い側の部位は、「後側部位」として規定される。
【０００７】
１つの態様では、前記シャッターケースには１つあるいは複数の補強部材が設けてあり、前記補強部材は、前記上面板の下面の後端側に位置する上側部位、前記下面板の上面の後端側に位置する下側部位を含み、
前記支承部材の上端は前記上側部位に取り外し可能に設けてあり、前記支承部材の下端は前記下側部位に取り外し可能に設けてある。
【０００８】
１つの態様では、前記補強部材は、前記上面板の下面の後端に設けられ、長さ方向両端部が側面板まで達していない長尺状の上側補強部材、前記下面板の上面の後端に設けられ、長さ方向両端部が側面板まで達している長尺状の下側補強部材、ケース幅方向に間隔を存して複数設けられ、上側部及び下側部を備えた中間補強部材、前記上側補強部材の長さ方向端部と前記側面板との間に位置して、前記上面板の下面の後端側に設けた受け材、を含み、
前記上側部位には、前記上側補強部材、前記中間補強部材の上側部、前記受け材が含まれ、
前記下側部位には、前記下側補強部材、前記中間補強部材の下側部が含まれ、
前記支承部材は、前記上側補強部材に対応するケース幅内に位置する第１支承部材と、前記上側補強部材の長さ方向端部と前記側面板との間に対応するケース幅内に位置する第２支承部材と、を含み、
前記第１支承部材の上端は、前記上側補強部材、前記中間補強部材の上側部の一方あるいは両方に取り外し可能に設けてあり、前記第１支承部材の下端は、前記下側補強部材、前記中間補強部材の下側部の一方あるいは両方に取り外し可能に設けてあり、
前記第２支承部材の上端は、前記受け材に取り外し可能に設けてあり、前記第２支承部材の下端は、前記下側補強部材に取り外し可能に設けてある。
【０００９】
１つの態様では、前記支承部材の上端、下端の両方あるいは一方が前記補強部材に取り外し可能に連結されている。
１つの態様では、前記支承部材の上端、下端の一方が前記補強部材に取り外し可能に連結されており、他方が前記補強部材に当接している。
【００１０】
１つの態様では、支承部材を取り外し可能に連結する手段は溶接であり、当該溶接は、衝撃を加えることで当該支承部材が容易に離脱可能な程度の溶接である。
１つの態様では、支承部材を取り外し可能に連結する手段は螺子を用いた連結である。
【００１１】
本発明が採用した他の技術手段は、
工場において、左右の側面板と、上面板と、下面板と、前面板とからなり、背面側に開口を備えたシャッターケースに対して、前記上面板と前記下面板の間に、開口側に位置して、ケース幅方向に間隔を存して複数の支承部材を取り外し可能に設けてシャッターケースを補強するステップと、
運搬時に、前記補強されたシャッターケースを積み重ねた状態とするステップと、
現場において、前記補強されたシャッターケースから前記支承部材を取り外してシャッターケースを得るステップと、
からなるシャッターケースの搬入方法、である。
【発明の効果】
【００１２】
本発明では、左右の側面板と、上面板と、下面板と、前面板とからなり、背面側に開口を備えたシャッターケースにおいて、前記上面板と前記下面板間には、開口側に位置して、ケース幅方向に間隔を存して複数の支承部材を取り外し可能に設けることでシャッターケースを補強したので、シャッターケースを上下に積み重ねた状態で保管ないし運搬する場合であっても、上面板、下面板間に、ケース開口側（前面板、側面板から離れており、前面板、側面板によって支持されない部位）に位置して取り外し可能に設けた支承部材が上面板の後側部位に下向きに作用する垂直荷重に対抗し、保管時、運搬時における垂直荷重に起因するシャッターケースの変形を防止する。
【００１３】
支承部材は、シャッターケースの上面板と下面板の間に取り外し可能に設けてあるので、現場に搬入された補強されたシャッターケースから支承部材を取り外して、建物開口部上方の所定位置に取り付ければよい。また、取り外し可能な取り付け手段として、衝撃を加えることで支承部材を容易に離脱可能な程度の溶接を採用することで、現場において簡単に支承部材を取り外すことができ、現場におけるシャッターケースの取付作業の効率を低下させることもない。
【図面の簡単な説明】
【００１４】
【図１】（Ａ）は、重量シャッターケースを背面側かつ斜め上方から見た斜視図であり、（Ｂ）は、重量シャッターケースを背面側かつ斜め下方から見た斜視図である。
【図２】（Ａ）は、重量シャッターケースを背面側から見た正面図、（Ｂ）は重量シャッターケースの底面図である。
【図３】図２（Ａ）におけるIII-III断面図である。
【図４】図３の上端部位、下端部位の部分拡大図である。
【図５】図２（Ａ）におけるV-V断面図である。
【図６】図５の上端部位、下端部位の部分拡大図である。
【図７】重量シャッターケースが取り付けられた状態を示し、平面図、前面から見た正面図、左側面図、右側面図である。
【図８】運搬時に重量シャッターケースが積み重ねられた状態を示し、（Ａ）は背面側かつ斜め上方から見た斜視図であり、（Ｂ）背面側かつ斜め下方から見た斜視図である。
【発明を実施するための形態】
【００１５】
図１（Ａ）は、重量シャッターケース（以下、「シャッターケース」という）Ｃを背面側（後方）かつ斜め上方から見た斜視図、（Ｂ）は、シャッターケースＣを背面側（後方）かつ斜め下方から見た斜視図であり、図２（Ａ）は、シャッターケースＣを背面側から見た正面図、（Ｂ）はシャッターケースＣの底面図である。
【００１６】
図１、図２に示すように、工場で製作されたシャッターケースＣは、水平状に延びる上面板１、垂直状に延びる左右の側面板２、３、垂直状に延びる前面板４、水平状に延びる下面板５からなる箱型ケースであり、背面が開口している。また、ケース板は、板厚1.6ｔの薄肉鋼鈑からなる。建物開口部の上方部位に取り付けられたシャッターケースＣの内部空間には、左右のブラケット１２、１３、左右のブラケット１２、１３に支持された巻取シャフト（図示せず）、巻取シャフトに巻装されたシャッターカーテンＳ、ブラケット１２に連結された取付部１４に取り付けられた開閉機Ｍ、が収納される（図７参照）。
【００１７】
シャッターケースＣにおいて、一側の側面板２の幅寸法（奥行寸法）は他側の側面板３の幅寸法（奥行寸法）よりも大きくなっており、ケースの上面板１、下面板５の幅方向一側は幅広となっており、前面板４は、第１部分４０と、幅方向一側の幅広部に対応する第２部分４１と、第１部分４０と第２部分４１を結ぶ第３部分４２とからなる。シャッターケースＣの幅方向の一側の内部空間の奥行寸法を大きくすることで、重量シャッターの巻取シャフトを回転駆動するための開閉機Ｍの収納空間を確保している。
【００１８】
シャッターケースＣは、上面板１、側面板２、３、前面板４、下面板５を形成する各ケース板を工場で箱状に組み立てることで得られる。具体的には、上面板１の前端部位と前面板４の上端部位が接続され、下面板５の前端部位と前面板４の下端部位が接続され、上面板１の幅方向の一端部位と側面板２の上端部位が接続され、上面板１の幅方向の他端部位と側面板３の上端部位が接続され、下面板５の幅方向の一端部位と側面板２の下端部位が接続され、下面板５の幅方向の他端部位と側面板３の下端部位が接続され、前面板４の幅方向の一端部位と側面板２の前端部位が接続され、前面板４の幅方向の他端部位と側面板３の前端部位が接続される。ケース板同士の接続手段としては、溶接や螺子が例示される。シャッターケースＣの角部（上面板１、側面板２、３、前面板４、下面板５の継ぎ部）には長尺状の補強部材（例えば、断面視Ｌ形状のアングル材）が設けてある。
【００１９】
このように、左右一対の側面板２、３の間に上面板１、下面板５、前面板４を設けてシャッターカーテンＳ等の収納空間を形成した箱型のシャッターケースＣは、工場で組み立てられ、取付現場まで運搬されてシャッター装置に取り付けられるが、箱型のシャッターケースＣには、上面板１の後端側（シャッターケースＣが取り付けられた状態では躯体側）に固定された上側補強部材６と、下面板５の後端側（躯体側）に位置して左右の側面板２、３間に架け渡された下側補強部材７と、シャッターケースＣの左右方向中間部において、上面板１と前面板４と下面板５に接合する側面視コ字状の中間補強部材８が設けられている。これらの補強部材６、７、８について以下に説明する。
【００２０】
シャッターケースＣの上面板１の後端には、長尺状の上側補強部材６が設けてある。上側補強部材６は、水平辺６０と垂下辺６１から断面視Ｌ形状の鋼材であり、水平辺６０を上面板１の後端部位の下面に接続することで上面板１に取り付けられている。上側補強部材６は、上面板１の幅方向に亘って設けてあるが、左右のブラケット１２、１３の振れ止め部材１５、１６及び振れ止め部材１５、１６の支持部１７との干渉を避けるため、上面板１の幅方向両端部までは達しない長さとなっている（図７参照）。
【００２１】
より詳しく説明すると、左右のブラケット１２、１３は、躯体Ｗに対して持ち出し状に設けられるものであり、また、左右のブラケット１２、１３間にはシャッターカーテンが連結された巻取シャフトが支持されることから左右のブラケット１２、１３には相当の重量が負荷することになり、振れ止め部材１５、１６によって左右のブラケット１２、１３の取付を補強している。振れ止め部材１５、１６は水平に延びる長尺状の部材であり、一端がブラケット１２、１３の上端部位に連結され、支持部１７（躯体Ｗに設けられる）に連結されている。振れ止め部材１５、１６及び支持部１７の高さ位置が、上側補強部材６の高さ位置と略同じであることから、振れ止め部材１５、１６及び支持部１７を設けるスペースを確保するため、上側補強部材６の両端は、側面板２、３まで達していない。
【００２２】
下面板５の後端は、上面板１の後端よりもシャッターケースＣの前側に位置しており、下面板５の後端には垂直状の立ち上がり片５０が形成されており、下面板５の後端部位及び立ち上がり片５０に、長尺状の下側補強部材７が設けてある。下側補強部材７は、まぐさ材であり、スムーサの取付台としても機能する。下側補強部材７は、上辺７０、下辺７１、上辺７０と下辺７１の一端側を連結する垂直辺７２、上辺７０の他端側の上側垂直辺７３、下辺７１の他端側の下側垂直辺７４とから断面視略Ｃ形状を備えた鋼材であり、下辺７１を下面板５の後端部位の上面に接続し、上側垂直辺７３、下側垂直辺７４を立ち上がり片５０に接続することで、下面板５に取り付けられている。下側補強部材７は、下面板５の全幅に亘って設けてある。
【００２３】
シャッターケースＣが建物開口部上方に設けられた状態において、下面板５の後端と躯体Ｗとの間には建物開口部の開閉時にシャッターカーテンＳが通る開口が形成される。かかる開口の幅方向両端に位置して、左右のブラケット１２、１３には、シャッターカーテンの幅方向両端部を受け入れて案内するガイドレールＧの上端部位が設けられている。
【００２４】
シャッターケースＣの内面には、幅方向に間隔を存して複数の中間補強部材８が設けてある。中間補強部材８は、上面板１に当接する上側部８０と、下面板５に当接する下側部８１と、上側部８０と下側部８１の前端同士を接続し、前面板４に当接する垂直部８２と、から側面視略コ字形状を備えている。上側部８０、下側部８１、垂直部８２はそれぞれ断面視Ｌ形状の鋼材である。図４に示すように、上側部８０は水平辺８００と垂直辺８０１から断面視Ｌ形状に形成されており、水平辺８００が上面板１の下面に接続されており、垂直辺８０１が上面板１の下面から垂下している。下側部８１は水平辺８１０と垂直辺８１１から断面視Ｌ形状に形成されており、水平辺８１０が下面板５の上面に接続されており、垂直辺８１１が下面板５の上面から垂直に立ち上がっている。垂直部８２はシャッターケースＣの幅方向に延びる第１辺８２０と前後方向に延びる第２辺８２１から断面視Ｌ形状に形成されており、第１辺８２０が前面板４の内面に接続されており、第２辺８２１が前面板４の内面から後方に向かって垂直に延びている。上側部８０の垂直辺８０１と垂直部８２の第２辺８２１、下側部８１の垂直辺８１１と垂直部８２の第２辺８２１を接続するように補強材８３、８４が設けてある。
【００２５】
シャッターケースＣに作用する垂直荷重において、前側及び幅方向両端に作用する力は、垂直方向に延びる前面板４、左右の側面板２、３によって支持される。また、シャッターケースＣに作用する垂直荷重は、シャッターケースＣの幅方向に間隔を存して設けた中間補強部材８によっても支持される。しかしながら、シャッターケースＣを背面側（後端側）は、建物開口部上方に設置した左右のブラケット１２、１３間に支持された巻取シャフトや巻取シャフトに巻装されたシャッターカーテンＳを覆うように被せて取り付けるために開口状となっており、シャッターケースＣの後側は前側や幅方向両端に比べて垂直荷重に対して脆弱である。
【００２６】
本実施形態に係るシャッターケースＣでは、上面板１と下面板５間に、後側（開口側）に位置して、ケース幅方向に間隔を存して複数の第１支承部材９、第２支承部材１０が取り外し可能に設けてある。第１支承部材９、第２支承部材１０は、シャッターケースＣを積み重ねた時に特に下側のシャッターケースＣに作用する垂直方向の力に対抗する補強部材であり、当該補強部材の圧縮方向の力（垂直荷重）を支持することができればよく、棒状ないし柱状の部材から形成することができる。図１、２に示すように、第２支承部材１０は、シャッターケースＣの幅方向両端部位に位置して設けられ、第１支承部材９は、幅方向両端部位の２本の第２支承部材１０間に位置して、ケース幅方向に間隔を存して複数本設けられている。本実施形態では、第１支承部材９は側面視傾斜姿勢で設けられ、第２支承部材１０は垂直姿勢で設けられるが、第１支承部材９、第２支承部材１０は高さ方向に延びて上面板１と下面板５の間に突っ張るように設けられていればよく、第１支承部材９、第２支承部材１０の姿勢は限定されない。
【００２７】
図３、図４に示すように、第１支承部材９は、第１辺９０と第２辺９１から断面視Ｌ形状を有する長尺部材であって、上端は上側補強部材６及び中間補強部材８の上側部８０の後端に簡易な溶接によって取り外し可能に連結されており、下端は中間補強部材８の下側部８１の後側部位に簡易な溶接によって取り外し可能に連結されている。本実施形態では、第１支承部材９の上端を上面板１の後端（下面板５の後端よりも後側に位置する）の上側補強部材６に連結していることから第１支承部材９は、上面板１と下面板５との間で傾斜姿勢（前方に向かって下向き傾斜状）で延びている。第１支承部材９は、上面板１の後側部位と下面板５の後側部位の間で突っ張ることで、上面板１の後側部位に下向きに作用する垂直荷重を負担することができ、積み重ねた状態でのシャッターケースＣの運搬時に、上面板１の後側部位の変形を防止することができる。
【００２８】
第１支承部材９の上端及び下端の溶接は、ハンマー等で衝撃を加えることで第１支承部材９がシャッターケースＣから容易に離脱可能な程度の溶接であるので、現場において簡単に第１支承部材９を取り外すことができる。第１支承部材９は、予めシャッターケースＣに内蔵されている補強部材（上側補強部材６、中間補強部材８）を介して上面板１、下面板５に溶接されているので、第１支承部材９を取り付けるために新たに補強部材を設ける必要がなく、また、上面板１、下面板５に補強部材を介して間接的に取り付けられるので、現場で溶接を破壊して第１支承部材９を離脱する際に、上面板１、下面板５に破損や変形を生じることがない。
【００２９】
本実施形態では、第１支承部材９の上端を上側補強部材６及び中間補強部材８の上側部８０に連結しているが、第１支承部材９の上端を上側補強部材６のみ、あるいは、中間補強部材８の上側部８０のみに着脱可能に連結してもよい。本実施形態では、第１支承部材９の下端を中間補強部材８の下側部８１に連結しているが、第１支承部材９の下端を下側補強部材７あるいは下側補強部材７及び中間補強部材８の下側部８１に連結してもよい。
【００３０】
本実施形態では、第１支承部材９を、ケース幅方向において、中間補強部材８が設けられた位置に合わせて取り付けてあるが、第１支承部材９を、中間補強部材８とは異なる位置で取り外し可能に設けてもよい。この場合、例えば、第１支承部材９の上端を上側補強部材６に取り外し可能に連結し、下端を下側補強部材７に取り外し可能に連結してもよい。
【００３１】
第２支承部材１０は、シャッターケースＣの幅方向両端に位置して設けられおり、第２支承部材１０が設けられる部位には、上側補強部材６、中間補強部材８は存在しない。図１（Ｂ）、図２（Ａ）に示すように、上面板１の下面の幅方向の両端部位には、短尺の受け材１１が固定されている。図６に示すように、受け材１１は水平辺１１０と垂直辺１１１とから断面視Ｌ形状を備えた鋼材であり、水平辺１１０を上面板１の下面に固定することで、垂直辺１１１が上面板１の下面から垂下するようになっている。受け材１１は、左右のブラケット１２、１３の振れ止め部材１５、１６及び振れ止め部材１５、１６の支持部１７と干渉しないような位置に取り付けられる。受け材１１は、第２支承部材１０が上面板１の下面に直接当接ないし連結することを防止して上面板１を補強する補強部材である。
【００３２】
図６に示すように、第２支承部材１０は、第１辺１００と第２辺１０１から断面視Ｌ形状を有する長尺部材であって、上端は受け材１１の垂直辺１１１に簡易な溶接によって取り外し可能に連結されており、第２支承部材１０の下端は下側補強部材７の垂直辺７２に簡易な溶接によって取り外し可能に連結されている。図５に示すように、本実施形態では、第２支承部材１０は、上面板１と下面板５との間で垂直姿勢で延びている。第２支承部材１０は、シャッターケースＣの幅方向両端部位において、上面板１の後側部位と下面板５の後側部位の間で突っ張ることで、上面板１の幅方向両端部位の後側部位に下向きに作用する垂直荷重を負担することができ、積み重ねた状態でのシャッターケースＣの運搬時に、上面板１の幅方向両端部位の後側部位の変形を防止することができる。
【００３３】
第２支承部材１０の上端及び下端の溶接は、ハンマー等で衝撃を加えることで第２支承部材１０がシャッターケースＣから容易に離脱可能な程度の溶接であるので、現場において簡単に第２支承部材１０を取り外すことができる。第２支承部材１０は、受け材１１、予めシャッターケースＣに内蔵されている補強部材（下側補強部材７）を介して上面板１、下面板５に溶接されているので、第２支承部材１０を取り付けるために短尺の受け材１１のみを設ければよく、また、上面板１、下面板５に補強部材を介して間接的に取り付けられるので、現場で溶接を破壊して第２支承部材１０を離脱する際に、上面板１、下面板５に破損や変形を生じることがない。
【００３４】
第２支承部材１０の上端を、受け材１１の水平辺１１０及び垂直辺１１１に当接させ、下端を、下側補強部材７の垂直辺７２に簡易な溶接によって取り外し可能に連結してもよい。このような取付態様であっても、運搬時の衝撃や振動で第２支承部材１０が外れないことが確認されている。
【００３５】
本実施形態に係るシャッターケースＣの工場での製作、運搬、現場への搬入、取り付けの流れについて説明する。先ず、工場において、上面板１、左右一対の側面板２、３と、前面板４、下面板５を箱状に組み立て、さらに、上面板１の下面の後端に上側補強部材６を取り付け、下面板５の上面の後端に下側補強部材７を取り付け、ケース幅方向に間隔を存した複数箇所にコ字状の中間補強部材８を取り付けることで、シャッターケースＣを得る。
【００３６】
シャッターケースＣの幅方向において、中間補強部材８が設けられた位置に対応して、上面板１の下面の後側部位と、下面板５の上面の後側部位との間に、第１支承部材９を取り外し可能に取付ける。具体的には、第１支承部材９の上端を上側補強部材６および／あるいは中間補強部材８の上側部８０の後端部位に簡易に溶接し、第１支承部材９の下端を中間補強部材８の下側部８１の後端部位に簡易に溶接する。
【００３７】
シャッターケースＣの幅方向において、上側補強部材６の長さ方向両端部と側面板２、３との間に位置させて、上面板１の下面の後側部位と、下面板５の上面の後側部位との間に、第２支承部材１０を取り外し可能に取り付ける。具体的には、上面板１の下面のケース幅方向両端側部位の後側部位には受け材１１を固定し、第２支承部材１０の上端を受け材１１に当接ないし簡易に溶接し、第２支承部材１０の下端を下側補強部材７に簡易に溶接する。
【００３８】
こうすることで、工場において、第１支承部材９、第２支承部材１０によって補強されたシャッターケースＣを得る。シャッターケースＣは、図８に示すように、複数のシャッターケースＣを積み重ねた状態で保管、運搬され、積み重ねた状態で取付現場に搬入される。複数のシャッターケースＣが積み重ねられた状態において、下側のシャッターケースＣには下向きの垂直方向の荷重が作用するが、上面板１の前側及び幅方向両端に作用する荷重は、垂直方向に延びる前面板４、左右の側面板２、３によって支持され（シャッターケースＣの幅方向に間隔を存して設けた中間補強部材８によっても部分的に支持される）、上面板１の後側に作用する荷重は、上面板１の後側部位と下面板５の後側部位との間に突っ張るように取り外し可能に設けた第１支承部材９、第２支承部材１０によって支持され、保管時、運搬時に、シャッターケース（特に、下側に位置するシャッターケース）Ｃの上面板１が変形することが防止される。
【００３９】
取付現場において、補強されたシャッターケースＣから第１支承部材９、第２支承部材１０を取り外して、建物開口部上方に取付可能な状態となったシャッターケースＣを得る。第１支承部材９、第２支承部材１０はハンマー等で衝撃を与えることで容易に破壊される程度の溶接によって上面板１、下面板５間に設けてあるので、現場において、ハンマー等や重量物で第１支承部材９、第２支承部材１０に衝撃を与えることで簡単に取り外すことができる。したがって、現場におけるシャッターケースＣの取付作業の作業効率を低下させることはない。
【００４０】
建物開口部上方の幅方向両端部には左右のブラケット１２、１３が躯体Ｗに対して持ち出し状に設けてあり、左右のブラケット１２、１３間には巻取シャフトが支持されており、巻取シャフトにはシャッターカーテンＳが巻装されており、ブラケット１２には躯体Ｗから離間する側に設けた取付部１４には開閉機Ｍが取り付けられており、建物開口部の幅方向両端には左右のガイドレールＧが設けてある。シャッターケースＣは、左右のブラケット１２、１３、巻取シャフト、巻取シャフトに巻装されたシャッターカーテンＳ、開閉機Ｍを覆うように正面から嵌め込まれ、左右のブラケット１２、１３等に固定することで取り付けられる。
【符号の説明】
【００４１】
１  上面板
２  側面板
３  側面板
４  前面板
５  下面板
６  上側補強部材
７  下側補強部材
８  中間補強部材
９  第１支承部材
１０  第２支承部材
１１  受け材（補強部材）
Ｃ  シャッターケース
【図１】
2019218697.tif 000003
【図２】
2019218697.tif 000004
【図３】
2019218697.tif 000005
【図４】
2019218697.tif 000006
【図５】
2019218697.tif 000007
【図６】
2019218697.tif 000008
【図７】
2019218697.tif 000009
【図８】
2019218697.tif 000010